(57)【特許請求の範囲】
【請求項１】
横幅方向に間隔をあけて立設した一対の垂直部材を、上下方向に間隔をあけて配設した複数の横架部材によって連結して昇降枠が構成され、前記各垂直部材が内管と外管からなる伸縮管構造となっている昇降枠の伸縮管構造において、
前記内管と外管が共に中空矩形断面を有し、前記外管の４つのコーナー部のうち少なくとも隣り合う２つのコーナー部の内側に、軸線方向に伸延する広幅かつ平坦な第１の斜切接触面がそれぞれ形成され、前記第１の斜切接触面を有する前記外管の２つのコーナー部に対峙する前記内管の２つのコーナー部の外側に、同様に軸線方向に伸延する広幅の平坦な第２の斜切接触面がそれぞれ形成され、前記昇降枠に垂直方向又は水平方向の負荷がかかった際、前記第２の斜切接触面が対応する前記第１の斜切接触面に押圧状態に当接されることを特徴とする昇降枠の伸縮管構造。
【請求項２】
横幅方向に間隔をあけて立設した一対の垂直部材と、上下方向に間隔をあけて横架される複数の横架部材と、前記垂直部材の下端同士を連結する下部連結管と、上端が前記垂直部材の中途部に揺動自在に枢支されると共に下端が前記垂直部材の下端面より下方に伸延して床面上に設置可能な補助垂直部材と、該補助垂直部材と前記下部連結管間に伸縮自在に介設され、前記補助垂直部材の横幅方向の張り出し量を規制する張り出し量調整管とから昇降枠が構成され、前記各補助垂直部材が内管と外管からなる第１の伸縮管構造を有すると共に前記下部連結管と前記張り出し量調整管によって内管と外管からなる第２の伸縮管構造が形成される昇降枠の伸縮管構造において、
前記内管と外管が共に中空矩形断面を有し、前記外管の４つのコーナー部のうち少なくとも隣り合う２つのコーナー部の内側に、軸線方向に伸延する広幅かつ平坦な第１の斜切接触面がそれぞれ形成され、前記第１の斜切接触面を有する前記外管の２つのコーナー部に対峙する前記内管の２つのコーナー部の外側に、同様に軸線方向に伸延する広幅の平坦な第２の斜切接触面がそれぞれ形成され、前記昇降枠に垂直方向又は水平方向の負荷がかかった際、前記第２の斜切接触面が対応する前記第１の斜切接触面に押圧状態に当接されることを特徴とする昇降枠の伸縮管構造。
【請求項３】
前記外管の４つのコーナー部の内側に、軸線方向に伸延する広幅かつ平坦な第１の斜切接触面がそれぞれ形成され、前記外管の４つのコーナー部に対峙する前記内管の４つのコーナー部の外側に、同様に軸線方向に伸延する広幅の平坦な第２の斜切接触面がそれぞれ形成され、前記昇降枠に垂直方向又は水平方向の負荷がかかった際、前記第２の斜切接触面が対応する前記第１の斜切接触面に押圧状態に当接されることを特徴とする請求項１又は２記載の昇降枠の伸縮管構造。
【請求項４】
横幅方向に間隔をあけて立設した一対の垂直部材の上、下端部同士を連結して開口枠が構成され、前記各垂直部材が内管と外管からなる伸縮管構造となっている開口枠の伸縮管構造において、
前記内管と外管が共に中空矩形断面を有し、前記外管の４つのコーナー部のうち少なくとも隣り合う２つのコーナー部の内側に、軸線方向に伸延する広幅かつ平坦な第１の斜切接触面がそれぞれ形成され、前記第１の斜切接触面を有する前記外管の２つのコーナー部に対峙する前記内管の２つのコーナー部の外側に、同様に軸線方向に伸延する広幅の平坦な第２の斜切接触面がそれぞれ形成され、前記開口枠に垂直方向又は水平方向の負荷がかかった際、前記第２の斜切接触面が対応する前記第１の斜切接触面に押圧状態に当接されることを特徴とする開口枠の伸縮管構造。
【請求項５】
横幅方向に間隔をあけて立設した一対の垂直部材と、前記垂直部材の上下端同士を連結する上、下部連結管と、上端が前記垂直部材の中途部に揺動自在に枢支されると共に下端が前記垂直部材の下端面より下方に伸延して床面上に設置可能な補助垂直部材と、該補助垂直部材と前記下部連結管間に伸縮自在に介設され、前記補助垂直部材の横幅方向の張り出し量を規制する張り出し量調整管とから開口枠が構成され、前記各補助垂直部材が内管と外管からなる第１の伸縮管構造を有すると共に前記下部連結管と前記張り出し量調整管によって内管と外管からなる第２の伸縮管構造が形成される開口枠の伸縮管構造において、
前記内管と外管が共に中空矩形断面を有し、前記外管の４つのコーナー部のうち少なくとも隣り合う２つのコーナー部の内側に、軸線方向に伸延する広幅かつ平坦な第１の斜切接触面がそれぞれ形成され、前記第１の斜切接触面を有する前記外管の２つのコーナー部に対峙する前記内管の２つのコーナー部の外側に、同様に軸線方向に伸延する広幅の平坦な第２の斜切接触面がそれぞれ形成され、前記開口枠に垂直方向又は水平方向の負荷がかかった際、前記第２の斜切接触面が対応する前記第１の斜切接触面に押圧状態に当接されることを特徴とする開口枠の伸縮管構造。
【請求項６】
前記外管の４つのコーナー部の内側に、軸線方向に伸延する広幅かつ平坦な第１の斜切接触面がそれぞれ形成され、前記外管の４つのコーナー部に対峙する前記内管の４つのコーナー部の外側に、同様に軸線方向に伸延する広幅の平坦な第２の斜切接触面がそれぞれ形成され、前記開口枠に垂直方向又は水平方向の負荷がかかった際、前記第２の斜切接触面が対応する前記第１の斜切接触面に押圧状態に当接されることを特徴とする請求項４又は５記載の開口枠の伸縮管構造。
【発明の詳細な説明】
【０００１】
【発明の属する技術分野】
本発明は、梯子、梯子兼用脚立、脚立、足場作業台、作業タワー等に用いられる昇降枠及び開口枠の伸縮管構造に関する。
【０００２】
【従来の技術】
従来、例えば、図１２に示す足場作業台８０は、上面に作業床面８１を有する横長矩形板からなる足場板８２と、それぞれ上端部が足場板８２の左右端部に折り畳み連結機構８３、８４を介して折り畳み自在に連結されると共に、下端が床面８５に載置される一対の支持脚８６、８７を具備する。
【０００３】
ここに、支持脚８６、８７は伸縮管構造を具備する昇降枠として構成されている。即ち、支持脚８６（支持脚８７も同じ。）は、図１２に示すように、所定の間隔を開けて上下方向に伸延する一対の支柱８８、８９と、両支柱８８、８９間に上下方向に間隔を開けて横架される複数の踏み桟９０から形成されている。また、各支柱８８（支柱８９も同じ。）は、図１３に示すように、中空矩形断面を有する主脚（外管を形成する。）９１中に同様に中空矩形断面を有する伸縮脚（内管を構成する。）９２を摺動自在に嵌入した伸縮管構造を有している。さらに、伸縮脚９２の外側面にはラック溝９３ａが設けられ、このラック溝９３ａには、固定装置９３内に設けられスプリングによって係合方向に付勢されたラック歯を着脱自在に係合させることができる。
【０００４】
従って、伸縮脚９２を主脚９１に対して任意の長さだけ伸長した後、固定装置９３によってラック溝９３ａにラック歯を係合させることによって床面８５から足場板８２までの高さを調整することができる。
また、上記した構成を有する支持脚８６、８７に代えて、図１４に示す昇降枠９４を足場板８２と同様な足場板の両端に連結した作業用足場台がある。
【０００５】
ここに、昇降枠９４は、幅方向に所定の間隔を開けて垂直方向に伸延する一対の支柱９５、９６と、支柱９５、９６間に上下方向に間隔を開けて横架される複数の踏み桟９７と、支柱９５、９６の下端同士を連結する下部連結管１０５と、上端が支柱９５、９６の外側面に揺動自在に枢支されると共に下端が支柱９５、９６の下端面より下方に伸延して床面等に接地可能な補助支柱９８、９９と、補助支柱９８、９９と下部連結管１０５との間に介設され、補助支柱９８、９９の幅方向の張り出し量を規制する張り出し量調整管１００、１０１とを具備する。
上記した構成において、補助支柱９８、９９のみならず、下部連結管１０５と張り出し量調整管１００、１０１も、図１３に示した伸縮管構造と同様な伸縮管構造を有している。
【０００６】
【発明が解決しようとする課題】
しかし、上記した昇降枠の伸縮管構造は、未だ、以下の解決すべき課題を有していた。
即ち、図１３に示す昇降枠の伸縮管構造においては、伸縮脚９２の主脚９１内での円滑な摺動を確保するため、共に中空矩形断面を有する伸縮脚９２の外周面と主脚９１の内周面との間に一定の隙間が形成されている。しかし、図示するように、伸縮脚９２の外周面と主脚９１の内周面とは、共に、中心を共通する矩形形状を有するので、全周にわたって、即ち、前、後方向のみならず、横方向にも隙間が生じることになる。
【０００７】
従って、作業者が支持脚８６上を昇降する際、主脚９１の外壁内面が地面に接地され固定されている伸縮脚９２の外壁外面に押圧され、前後方向は固定されることになるが、横方向にも隙間があるので、主脚９１は伸縮脚９２に対して横方向に移動する。この移動は、作業者に不安感を与えることになり、場合によっては転落事故を引き起こすことも考えられる。
このことは、図１４に示す昇降枠９４の伸縮管構造における補助支柱９８、９９、及び、下部連結管１０５と張り出し量調整管１００、１０１についても同様である。特に、図１４に示す場合においては、下部連結管１０５に伸縮自在に嵌入されている張り出し量調整管１００、１０１はロックピン１０２、１０３によって位置決めされているだけであるため、横ゆれ個所が４か所もあり、補助支柱９８、９９における横ゆれと合わせて、作業用足場台の横ゆれが大きく、作業者の不安感を増すことになる。
本発明は、このような事情に鑑みなされたものであり、伸縮管構造を構成する内、外管間の横ゆれを確実に防止して、作業者の安定かつ安全な昇降を可能とする昇降枠及び開口枠の伸縮管構造を提供することを目的とする。
【０００８】
【課題を解決するための手段】
前記目的に沿う請求項１記載の昇降枠の伸縮管構造は、横幅方向に間隔をあけて立設した一対の垂直部材を、上下方向に間隔をあけて配設した複数の横架部材によって連結して昇降枠が構成され、前記各垂直部材が内管と外管からなる伸縮管構造となっている昇降枠の伸縮管構造において、前記内管と外管が共に中空矩形断面を有し、前記外管の４つのコーナー部のうち少なくとも隣り合う２つのコーナー部の内側に、軸線方向に伸延する広幅かつ平坦な第１の斜切接触面がそれぞれ形成され、前記第１の斜切接触面を有する前記外管の２つのコーナー部に対峙する前記内管の２つのコーナー部の外側に、同様に軸線方向に伸延する広幅の平坦な第２の斜切接触面がそれぞれ形成され、前記昇降枠に垂直方向又は水平方向の負荷がかかった際、前記第２の斜切接触面が対応する前記第１の斜切接触面に押圧状態に当接される。
【０００９】
ここで、「広幅」とは、内管及び外管の寸法にもよるが、３ｍｍ〜１５ｍｍとするのが好ましい。３ｍｍより狭い場合は、第１及び第２の斜切接触面が横ゆれに対して有効に働かず、一方、１５ｍｍより大きくすると、内管の外管に対する摺動を円滑に行うことができなくなるおそれがあるからである。
また、斜切接触面の傾斜角度は、好ましくは、当接面に対して３０〜６０°とするのが好ましい。３０°未満では、第１及び第２の斜切接触面が横ゆれに対して有効に働かず、６０°より大きい場合は、内管の外管に対する摺動を円滑に行うことができなくなるおそれがあるからである。
【００１０】
請求項２記載の昇降枠の伸縮管構造は、横幅方向に間隔をあけて立設した一対の垂直部材と、上下方向に間隔をあけて横架される複数の横架部材と、前記垂直部材の下端同士を連結する下部連結管と、上端が前記垂直部材の中途部に揺動自在に枢支されると共に下端が前記垂直部材の下端面より下方に伸延して床面上に設置可能な補助垂直部材と、該補助垂直部材と前記下部連結管間に伸縮自在に介設され、前記補助垂直部材の横幅方向の張り出し量を規制する張り出し量調整管とから昇降枠が構成され、前記各補助垂直部材が内管と外管からなる第１の伸縮管構造を有すると共に前記下部連結管と前記張り出し量調整管によって内管と外管からなる第２の伸縮管構造が形成される昇降枠の伸縮管構造において、前記内管と外管が共に中空矩形断面を有し、前記外管の４つのコーナー部のうち少なくとも隣り合う２つのコーナー部の内側に、軸線方向に伸延する広幅かつ平坦な第１の斜切接触面がそれぞれ形成され、前記第１の斜切接触面を有する前記外管の２つのコーナー部に対峙する前記内管の２つのコーナー部の外側に、同様に軸線方向に伸延する広幅の平坦な第２の斜切接触面がそれぞれ形成され、前記昇降枠に垂直方向又は水平方向の負荷がかかった際、前記第２の斜切接触面が対応する前記第１の斜切接触面に押圧状態に当接される。
【００１１】
請求項３記載の昇降枠の伸縮管構造は、請求項１又は２記載の昇降枠の伸縮管構造において、前記外管の４つのコーナー部の内側に、軸線方向に伸延する広幅かつ平坦な第１の斜切接触面がそれぞれ形成され、前記外管の４つのコーナー部に対峙する前記内管の４つのコーナー部の外側に、同様に軸線方向に伸延する広幅の平坦な第２の斜切接触面がそれぞれ形成され、前記昇降枠に垂直方向又は水平方向の負荷がかかった際、前記第２の斜切接触面が対応する前記第１の斜切接触面に押圧状態に当接される。
【００１２】
請求項４記載の開口枠の伸縮管構造は、横幅方向に間隔をあけて立設した一対の垂直部材の上、下端部同士を連結して開口枠が構成され、前記各垂直部材が内管と外管からなる伸縮管構造となっている開口枠の伸縮管構造において、前記内管と外管が共に中空矩形断面を有し、前記外管の４つのコーナー部のうち少なくとも隣り合う２つのコーナー部の内側に、軸線方向に伸延する広幅かつ平坦な第１の斜切接触面がそれぞれ形成され、前記第１の斜切接触面を有する前記外管の２つのコーナー部に対峙する前記内管の２つのコーナー部の外側に、同様に軸線方向に伸延する広幅の平坦な第２の斜切接触面がそれぞれ形成され、前記開口枠に垂直方向又は水平方向の負荷がかかった際、前記第２の斜切接触面が対応する前記第１の斜切接触面に押圧状態に当接される。
【００１３】
請求項５記載の開口枠の伸縮管構造は、横幅方向に間隔をあけて立設した一対の垂直部材と、前記垂直部材の上下端同士を連結する上、下部連結管と、上端が前記垂直部材の中途部に揺動自在に枢支されると共に下端が前記垂直部材の下端面より下方に伸延して床面上に設置可能な補助垂直部材と、該補助垂直部材と前記下部連結管間に伸縮自在に介設され、前記補助垂直部材の横幅方向の張り出し量を規制する張り出し量調整管とから開口枠が構成され、前記各補助垂直部材が内管と外管からなる第１の伸縮管構造を有すると共に前記下部連結管と前記張り出し量調整管によって内管と外管からなる第２の伸縮管構造が形成される開口枠の伸縮管構造において、前記内管と外管が共に中空矩形断面を有し、前記外管の４つのコーナー部のうち少なくとも隣り合う２つのコーナー部の内側に、軸線方向に伸延する広幅かつ平坦な第１の斜切接触面がそれぞれ形成され、前記第１の斜切接触面を有する前記外管の２つのコーナー部に対峙する前記内管の２つのコーナー部の外側に、同様に軸線方向に伸延する広幅の平坦な第２の斜切接触面がそれぞれ形成され、前記開口枠に垂直方向又は水平方向の負荷がかかった際、前記第２の斜切接触面が対応する前記第１の斜切接触面に押圧状態に当接される。
【００１４】
請求項６記載の開口枠の伸縮管構造は、請求項４又は５記載の開口枠の伸縮管構造において、前記外管の４つのコーナー部の内側に、軸線方向に伸延する広幅かつ平坦な第１の斜切接触面がそれぞれ形成され、前記外管の４つのコーナー部に対峙する前記内管の４つのコーナー部の外側に、同様に軸線方向に伸延する広幅の平坦な第２の斜切接触面がそれぞれ形成され、前記開口枠に垂直方向又は水平方向の負荷がかかった際、前記第２の斜切接触面が対応する前記第１の斜切接触面に押圧状態に当接される。
【００１５】
【発明の実施の形態】
続いて、添付した図面を参照しつつ、本発明を具体化した実施の形態につき説明し、本発明の理解に供する。
以下、図１〜図８を参照して、本発明の一実施の形態に係る昇降枠及び開口枠の伸縮管構造について説明する。なお、本実施の形態は、この昇降枠及び開口枠の伸縮管構造を、作業用足場台Ａに適用した場合である。
図１に示すように、作業用足場台Ａは、実質的に、上面に作業床面１０を有する横長矩形板からなる足場板１１と、それぞれ上端部が足場板１１の左右端部に折り畳み連結機構１２、１３を介して折り畳み自在に連結されると共に、下端が床面１４に載置される昇降枠１５と開口枠１６を具備する。
【００１６】
ここに、昇降枠１５は、図１、かつ、図３及び図４に示す側面視において、幅方向に所定の間隔を開けて垂直方向に伸延し、上端が足場板１１の左端部に折り畳み連結機構１２を介して連結される垂直部材の一例である一対の左、右支柱１７、１８と、左、右支柱１７、１８間に上下方向に間隔を開けて横架される横架部材の一例である複数の踏み桟１９と、左、右支柱１７、１８の下端同士を連結する外管の一例である下部連結管２０と、上端が左、右支柱１７、１８の中途部外側面に揺動自在に枢支されると共に下端が左、右支柱１７、１８の下端面より下方に伸延して床面１４に接地可能な補助垂直部材の一例である左、右補助支柱２１、２２と、左、右補助支柱２１、２２と下部連結管２０との間に介設され、左、右補助支柱２１、２２の幅方向の張り出し量を規制する内管の一例である左、右張り出し量調整管２３、２４とを具備する。
【００１７】
左、右補助支柱２１、２２は、図１、図３〜図５に示すように、それぞれ、外管の一例である揺動脚２５に対して内管の一例である伸縮脚２６が入れ子式に、即ち、軸線方向に摺動自在に挿入されている伸縮管構造を有すると共に、伸縮脚２６を任意の伸縮位置で固定することができる固定装置２７を具備する。即ち、揺動脚２５と伸縮脚２６によって第１の伸縮管構造が形成される。
また、図１、図３〜図５に示すように、下部連結管２０の両端部に対して左、右張り出し量調整管２３、２４を入れ子式に、即ち、軸線方向に摺動自在に挿入することによって伸縮管構造が形成されると共に、左、右張り出し量調整管２３、２４を任意の伸縮位置で固定することができる固定装置２８を具備する。即ち、下部連結管２０と左、右張り出し量調整管２３、２４とによって第２の伸縮管構造が形成される。
【００１８】
一方、開口枠１６は、図１に示すように、幅方向に所定の間隔を開けて垂直方向に伸延し、上端が足場板１１の右端部に折り畳み連結機構１３を介して連結される垂直部材の一例である一対の左、右支柱２９、３０と、左、右支柱２９、３０の下端同士を連結する下部連結管３１と、上端が左、右支柱２９、３０の中途部外側面に揺動自在に枢支されると共に下端が左、右支柱２９、３０の下端面より下方に伸延して床面１４に接地可能な補助垂直部材の一例である左、右補助支柱３２、３３と、左、右補助支柱３２、３３の幅方向の張り出し量を規制する左、右張り出し量調整管３４、３５とを具備する。なお、本実施の形態では、開口枠１６の上部連結管は、足場板１１の右端部によって形成されている。
【００１９】
補助支柱３２、３３は、図１に示すように、それぞれ、外管の一例である揺動脚３６に対して内管の一例である伸縮脚３７が入れ子式に摺動自在に挿入されている伸縮管構造を有すると共に、伸縮脚３７を任意の伸縮位置で固定することができる固定装置３８を具備する。即ち、揺動脚３６と伸縮脚３７によって第１の伸縮管構造が形成される。
また、外管の一例である下部連結管３１の両端部に対して内管の一例である左、右張り出し量調整管３４、３５を入れ子式に摺動自在に挿入することによって伸縮管構造が形成されると共に、左、右張り出し量調整管３４、３５を任意の伸縮位置で固定することができる固定装置３９を具備する。即ち、下部連結管３１と左、右張り出し量調整管３４、３５とによって第２の伸縮管構造が形成される。
【００２０】
本発明は、上記した構成を有する作業用足場台Ａにおいて、昇降枠１５の伸縮管構造、及び、開口枠１６の伸縮管構造を、横ゆれを確実に防止する構成としたことに特徴を有する。
まず、昇降枠１５の伸縮管構造について説明すると、図３、図５及び図６に示すように、第１の伸縮管構造を形成する揺動脚２５と伸縮脚２６は、共に、中空矩形断面を有する。そして、図７に示すように、揺動脚２５の内側をなす２つのコーナー部の内側に、軸線方向に伸延する広幅かつ平坦な第１の斜切接触面４０、４１がそれぞれ形成されている。
一方、この第１の斜切接触面４０、４１を有する揺動脚２５の２つのコーナー部に対峙する伸縮脚２６の２つのコーナー部の外側に、同様に軸線方向に伸延する広幅の平坦な第２の斜切接触面４２、４３がそれぞれ形成されている。
【００２１】
そして、使用者が昇降枠１５を利用して足場板１１まで昇る際に昇降枠１５に垂直方向又は水平方向の負荷がかかると、図５〜図７に示すように、固定装置２７によって、第２の斜切接触面４２、４３が第１の斜切接触面４０、４１に向けてＸ方向に移動し、押圧状態に当接されることになる。従って、伸縮脚２６のＹ方向の移動は確実に防止されることになり、伸縮脚２６の幅方向の横ゆれを確実に防止することができ、使用者は安心して昇降枠１５を昇降することができると共に、転倒や落下事故も確実に防止することができる。
【００２２】
上記したように、揺動脚２５を伸縮脚２６に対して第１及び第２の斜切接触面４０、４１、４２、４３を介して当接することによって、以下の効果も奏する。
▲１▼  揺動脚２５と伸縮脚２６は共にコーナー部のみを斜切しただけなので、中空矩形断面とほぼ同様な断面係数を確保することができ、昇降枠の伸縮管構造の強度を高めることができる。
【００２３】
▲２▼  揺動脚２５と伸縮脚２６は共にコーナー部のみを斜切しただけなので、中空矩形断面と同様に全周が平坦面から形成され、条溝がないので、ゴミ等を除去しやすい。
▲３▼  揺動脚と伸縮脚の一方に突条を設け、他方に突条を嵌入する嵌入溝を設ける場合と比較して、突条がないので、揺動脚２５と伸縮脚２６は変形しにくい。
【００２４】
▲４▼  第１及び第２の斜切接触面４０、４１、４２、４３が揺動脚２５と伸縮脚２６のコーナー部分に設けられているので、第１の斜切接触面４０、４１間の距離、及び、第２の斜切接触面４２、４３間の距離を十分に確保でき、捩じりモーメントがかかった場合でも、斜切接触面４０、４１、４２、４３にかかる面圧を小さくでき、この面からも昇降枠の伸縮管構造の強度を高めることができる。
▲５▼  揺動脚２５と伸縮脚２６のコーナー部を斜切することによって、外観的に小さく見せることができ、昇降枠の伸縮管構造及び作業用足場台Ａの美観を向上することができる。
【００２５】
また、図１及び図５に示すように、第２の伸縮管構造を形成する下部連結管２０と左、右張り出し量調整管２３、２４は、共に、中空矩形断面を有する。そして、図８に示すように、下部連結管２０の上面側をなす２つのコーナー部の内側に、軸線方向に伸延する広幅かつ平坦な第１の斜切接触面４４、４５がそれぞれ形成されている。
一方、図８に示すように、この第１の斜切接触面４４、４５を有する下部連結管２０の２つのコーナー部に対峙する左、右張り出し量調整管２３、２４の上面側の２つのコーナー部の外側に、同様に軸線方向に伸延する広幅の平坦な第２の斜切接触面４６、４７がそれぞれ形成されている。
【００２６】
そして、使用者が昇降枠１５を利用して足場板１１まで昇る際に昇降枠１５に垂直方向又は水平方向の負荷がかかると、図８に示すように、第２の斜切接触面４６、４７が対応する第１の斜切接触面４４、４５に押圧状態に当接されることになる。
ここで、図８に示すように、左、右張り出し量調整管２３、２４は下部連結管２０に対して第１及び第２の斜切接触面４４、４５、４６、４７を介して当接されるので、下部連結管２０は左、右張り出し量調整管２３、２４に対してＸ方向、即ち、押圧方向のみならずＹ方向、即ち、幅方向の横ゆれも確実に防止されることになる。従って、使用者は安心して昇降枠１５を昇降することができると共に、転倒や落下事故も確実に防止することができる。
【００２７】
次に、開口枠１６の伸縮管構造について説明すると、図示しないが、開口枠１６の伸縮管構造において第１の伸縮管構造を形成する揺動脚３６と伸縮脚３７は、昇降枠１５の揺動脚２５と伸縮脚２６と同様に相互に当接する第１及び第２の斜切接触面からなる横ゆれ防止構造を有している。従って、揺動脚３６は地面に接地固定されている伸縮脚３７に対して第１及び第２の斜切接触面を介して当接されるので、揺動脚３６はＸ方向のみならずＹ方向、即ち、横幅方向の横ゆれも確実に防止されることになる。従って、使用者は安心して、開口枠１６と反対側にある昇降枠１５を利用して昇降することができると共に、転倒や落下事故も確実に防止することができる。
【００２８】
また、図示しないが、第２の伸縮管構造を形成する下部連結管３１と左、右張り出し量調整管３４、３５は、昇降枠１５の下部連結管２０と左、右張り出し量調整管２３、２４と同様に相互に当接する第１及び第２の斜切接触面からなる横ゆれ防止構造を有している。従って、下部連結管３１は地面に接地固定されている伸縮脚３７を介して揺動脚３６に連設されている左、右張り出し量調整管３４、３５に対して第１及び第２の斜切接触面を介して当接されるので、下部連結管３１はＸ方向の縦ぶれのみならずＹ方向、即ち、横幅方向の横ゆれも確実に防止されることになる。従って、使用者は安心して、開口枠１６と反対側にある昇降枠１５を利用して昇降することができると共に、転倒や落下事故も確実に防止することができる。
【００２９】
図９及び図１０に上記した揺動脚２５と伸縮脚２６を具備する昇降枠１５の第１の伸縮管構造の変形例を示す。
図示するように、揺動脚２５に対応する外管の一例である揺動脚５０は、４つのコーナー部の内側に、軸線方向に伸延する広幅かつ平坦な第１の斜切接触面５１〜５４がそれぞれ形成され、揺動脚５０の４つのコーナー部に対峙する内管の一例である伸縮脚５５の４つのコーナー部の外側に、同様に軸線方向に伸延する広幅の平坦な第２の斜切接触面５６〜５９がそれぞれ形成されている。
【００３０】
そして、図１０に示すように、使用者が昇降枠１５ａを利用して足場板１１まで昇る際に昇降枠１５ａに垂直方向又は水平方向の負荷がかかると、固定装置２７ａによって、第２の斜切接触面５６、５７が第１の斜切接触面５１、５２に向けてＸ方向に移動し、押圧状態に当接されることになる。従って、伸縮脚５５の揺動脚５０に対するＹ方向の移動は確実に防止されることになり、伸縮脚５５の幅方向の横ゆれを確実に防止することができ、使用者は安心して昇降枠１５ａを昇降することができると共に、転倒や落下事故も確実に防止することができる。
【００３１】
また、図９において、揺動脚５０と伸縮脚５５の４つのコーナー部に第１及び第２の斜切接触面５１〜５４、５６〜５９を設けることによって、ｃ点において第１及び第２の斜切接触面５３、５４、５８、５９を当接させることができると共に、ｄ点において、第１及び第２の斜切接触面５１、５２、５６、５７を当接させることができる。即ち、軸線方向に間隔をあけた２点において揺動脚５０に対する伸縮脚５５を横ゆれを防止することができる。
また、下部連結管２０と対応する下部連結管６０と左張り出し量調整管２３に対応する内管の一例である張り出し量調整管６１についても、図９で示したように、４つのコーナー部に第１及び第２の斜切接触面を設けることによって、ｅ点及びｆ点において、下部連結管６０の第１の斜切接触面と張り出し量調整管６１の第２の斜切接触面とを当接させることができる。即ち、軸線方向に間隔をあけた２点において、下部連結管６０と張り出し量調整管６１との間の横ゆれを防止することができる。従って、使用者はより安全に昇降枠１５ａを昇降したり足場板１１上を移動することができる。なお、図９に示す左支柱１７ａ、固定装置２７ａは、図１に示す左支柱１７、固定装置２７と対応する。
【００３２】
図１１に上記した実施の形態の変形例に係る昇降枠及び開口枠の伸縮管構造を有する作業用足場台Ａ１を示す。
図示するように、本変形例に係る作業用足場台Ａ１は、図１に示す作業用足場台Ａと異なり、左、右補助支柱２１、２２、３２、３３に相当する補助支柱を具備していない。一方、図１に示す作業用足場台Ａにおいて昇降枠１５を形成する垂直部材１７、１８や、開口枠１６を形成する垂直部材２９、３０に相当する垂直部材７０〜７３を、それぞれ、外管の一例である固定脚７４と、内管の一例である伸縮脚７５とからなる伸縮管構造によって構成している。なお、本変形例においても、垂直部材７０、７１と踏み桟７６によって昇降枠７７が構成されており、垂直部材７２、７３と上、下部連結管７８、７８ａによって開口枠７９が構成されている。
【００３３】
そして、これらの固定脚７４と伸縮脚７５も、図１等を参照して説明してきた揺動脚２５及び伸縮脚２６と同様に、共に中空矩形断面を有し、かつ、固定脚７４の４つのコーナー部のうち少なくとも隣り合う２つのコーナー部の内側に、軸線方向に伸延する広幅かつ平坦な第１の斜切接触面がそれぞれ形成され、第１の斜切接触面を有する固定脚７４の２つのコーナー部に対峙する伸縮脚７５の２つのコーナー部の外側に、同様に軸線方向に伸延する広幅の平坦な第２の斜切接触面がそれぞれ形成されている。
従って、昇降枠７７や開口枠７９において、垂直方向又は水平方向又は水平方向の負荷がかかった際、第２の斜切接触面が対応する第１の斜切接触面に押圧状態に当接されることになり、固定脚７４はＸ方向のみならずＹ方向、即ち、横幅方向の横ゆれも確実に防止されることになる。従って、使用者は安心して、開口枠７９と反対側にある昇降枠７７を利用して昇降することができると共に、転倒や落下事故も確実に防止することができる。
【００３４】
上記した実施の形態におけるその他の構成について説明すると、図１に示す作業用足場台Ａにおいて、固定装置２７、３８は、本出願人が先に特開平９−１７７４６０号公報において開示した固定装置と同様な構成を有する。即ち、伸縮脚２６、３７の外側面にはラック溝が設けられ、このラック溝には、固定装置２７、３８内に設けられスプリングによって係合方向に付勢されたラック歯が着脱自在に係合されている。従って、伸縮脚２６、３７を任意の長さだけ伸長した後、固定装置２７、３８によってラック溝にラック歯を係合させることによって床面１４からの足場板１１までの高さを調整することができる。なお、図９に示す固定装置２７ａも同様な構成を有する。
【００３５】
また、図１に示す固定装置２８、３９も、本出願人が先に特開平９−１７７４６０号公報において開示した固定装置と同様な構成を有する。即ち、図５において、左、右張り出し量調整管２３、２４の端部内側には、板ばねをＵ字状に曲げて収納配設しており、同板ばねの一端に凸部を形成し、この凸部を左、右張り出し量調整管２３、２４に形成した孔に係合させると共に、板ばねの他端に位置決めピン６２を取付け、下部連結管２０の側壁に設けた位置決め孔６３及び左、右張り出し量調整管２３、２４に設けた貫通孔を挿通可能としている。なお、下部連結管２０には複数の位置決め孔６３、６４が設けられている。
【００３６】
かかる構成によって、位置決めピン６２の先端部を下部連結管２０の内部側に押し込み、位置決めピン６２と位置決め孔６３と貫通孔との嵌合状態を開放することにより、左、右張り出し量調整管２３、２４を摺動自在とすることができるようになっている。また、左、右張り出し量調整管２３、２４を摺動して、位置決めピン６２が位置決め孔６４の位置にくると、再び位置決めピン６２と位置決め孔６４及び貫通孔が嵌合状態となり、左、右張り出し量調整管２３、２４が下部連結管２０より摺動できないようにして、左、右張り出し量調整管２３、２４の左右外側への張り出し量を調整できるようにしている。なお、図１に示す実施の形態では、位置決め孔６３、６４を左右２か所設けているので、左、右張り出し量調整管２３、２４の張り出し量をそれぞれ２段階に規制することができる。なお、図９に示す変形例においても、同様な位置決めピン６５と位置決め孔６６、６７が設けられている。
【００３７】
また、図１、図５において、左、右張り出し量調整管２３、２４の端部には短筒からなる受金６８が枢ピン６９により揺動自在に取付けられている。そして、受金６８には揺動脚２５が摺動自在に保持されている。従って、左、右張り出し量調整管２３、２４が伸縮しても、受金６８が左、右張り出し量調整管２３、２４に対して揺動し、かつ、揺動脚２５に対して摺動するので、左、右張り出し量調整管２３、２４を水平状態に保つことができる。
【００３８】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。
【００３９】
【発明の効果】
請求項１〜６記載の昇降枠及び開口枠の伸縮管構造においては、外管の４つのコーナー部のうち少なくとも隣り合う２つのコーナー部の内側に、軸線方向に伸延する広幅かつ平坦な第１の斜切接触面がそれぞれ形成され、外管の２つのコーナー部に対峙する内管の２つのコーナー部の外側に、同様に軸線方向に伸延する広幅の平坦な第２の斜切接触面を形成し、昇降枠や開口枠に垂直方向又は水平方向の負荷がかかった際、第２の斜切接触面が第１の斜切接触面に押圧状態に当接されるようにしている。従って、内管は外管に対して押圧方向に固定保持されるのみでなく、幅方向に固定保持されるので、幅方向の横ゆれも確実に防止されることになり、使用者は安心して昇降枠を昇降することができると共に、転倒や落下事故も確実に防止することができる。
【００４０】
外管と内管は共にコーナー部のみを斜切しただけなので、中空矩形断面とほぼ同様な断面係数を確保することができ、昇降枠の伸縮管構造の強度を高めることができる。
外管と内管は共にコーナー部のみを斜切しただけなので、中空矩形断面と同様に全周が平坦面から形成され、条溝がないので、ゴミ等を除去しやすい。
外管と内管の一方に突条を設け、他方に突条を嵌入する嵌入溝を設ける場合と比較して、突条がないので、外管と内管は変形しにくい。
【００４１】
第１及び第２の斜切接触面が外管と内管のコーナー部分に設けられているので、第１の斜切接触面間の距離、及び、第２の斜切接触面間の距離を十分に確保でき、捩じりモーメントがかかった場合でも、第１及び第２の斜切接触面にかかる面圧を小さくでき、この面からも昇降枠の伸縮管構造の強度を高めることができる。
外管と内管のコーナー部を斜切することによって、外観的に小さく見せることができ、昇降枠又は開口枠の伸縮管構造及びそれを用いた梯子、梯子兼用脚立、脚立、足場作業台、作業タワー等の美観を向上することができる。
【００４２】
請求項２及び５記載の昇降枠及び開口枠の伸縮管構造においては、補助垂直部材を構成する内管と外管とからなる第１の伸縮管構造において、第１及び第２の斜切接触面を押圧状態に当接させることによって補助垂直部材の幅方向の横ゆれを確実に防止することができると共に、外管となる下部連結管と内管となる張り出し量調整管とからなる第２の伸縮脚構造において、第１及び第２の斜切接触面を押圧状態に当接させることによって下部連結管の幅方向の横ゆれを確実に防止することができる。従って、使用者はさらに安全に昇降枠を昇降したり足場板上で移動することができると共に、転倒や落下事故もより確実に防止することができる。
【００４３】
請求項３及び６記載の昇降枠及び開口枠の伸縮管構造においては、外管の４つのコーナー部の内側に、軸線方向に伸延する広幅かつ平坦な第１の斜切接触面がそれぞれ形成され、外管の４つのコーナー部に対峙する内管の４つのコーナー部の外側に、同様に軸線方向に伸延する広幅の平坦な第２の斜切接触面がそれぞれ形成され、昇降枠や開口枠に垂直方向又は水平方向の負荷がかかった際、第２の斜切接触面が対応する第１の斜切接触面に押圧状態に当接されるようにしている。従って、外管と内管は軸線方向に間隔をあけた２点において横ゆれを防止することができ、使用者はより安全に昇降枠を昇降したり、足場板上を移動することができる。
【図面の簡単な説明】
【図１】本発明の一実施の形態に係る昇降枠及び開口枠の伸縮管構造を具備する作業用足場台の斜視図である。
【図２】本発明の一実施の形態に係る昇降枠及び開口枠の伸縮管構造を具備する作業用足場台の正面図である。
【図３】本発明の一実施の形態に係る昇降枠の伸縮管構造を具備する作業用足場台の側面図である。
【図４】本発明の一実施の形態に係る昇降枠の伸縮管構造を具備する作業用足場台の側面図である。
【図５】本発明の一実施の形態に係る昇降枠の伸縮管構造の要部拡大側面図である。
【図６】図５のIII −III 線による矢視図である。
【図７】図３のＩ−Ｉ線による断面図である。
【図８】図３のII−II線による断面図である。
【図９】本発明の一実施の形態の変形例に係る昇降枠の伸縮管構造における揺動脚と伸縮脚の要部拡大側面図である。
【図１０】図９のIV−IV線による断面図である。
【図１１】本発明の一実施の形態の変形例に係る昇降枠及び開口枠を具備する作業用足場台の斜視図である。
【図１２】従来の昇降枠の伸縮管構造を具備する作業用足場台の斜視図である。
【図１３】従来の昇降枠の伸縮管構造における揺動脚と伸縮脚の断面図である。
【図１４】従来の昇降枠の伸縮管構造を具備する作業用足場台の側面図である。
【符号の説明】
Ａ  作業用足場台                    Ａ１  作業用足場台
１０  作業床面                      １１  足場板
１２  折り畳み連結機構              １３  折り畳み連結機構
１４  床面                          １５  昇降枠
１５ａ  昇降枠                      １６  開口枠
１７  左支柱                        １７ａ  左支柱
１８  右支柱                        １９  踏み桟
２０  下部連結管                    ２１  左補助支柱
２２  右補助支柱                    ２３  左張り出し量調整管
２４  右張り出し量調整管            ２５  揺動脚
２６  伸縮脚                        ２７  固定装置
２７ａ  固定装置                    ２８  固定装置
２９  左支柱                        ３０  右支柱
３１  下部連結管                    ３２  左補助支柱
３３  右補助支柱                    ３４  左張り出し量調整管
３５  右張り出し量調整管            ３６  揺動脚
３７  伸縮脚                        ３８  固定装置
３９  固定装置                      ４０  第１の斜切接触面
４１  第１の斜切接触面              ４２  第２の斜切接触面
４３  第２の斜切接触面              ４４  第１の斜切接触面
４５  第１の斜切接触面              ４６  第２の斜切接触面
４７  第２の斜切接触面              ５０  揺動脚
５１  第１の斜切接触面              ５２  第１の斜切接触面
５３  第１の斜切接触面              ５４  第１の斜切接触面
５５  伸縮脚                        ５６  第２の斜切接触面
５７  第２の斜切接触面              ５８  第２の斜切接触面
５９  第２の斜切接触面              ６０  下部連結管
６１  張り出し量調整管              ６２  位置決めピン
６３  位置決め孔                    ６４  位置決め孔
６５  位置決めピン                  ６６  位置決め孔
６７  位置決め孔                    ６８  受金
６９  枢ピン                        ７０  垂直部材
７１  垂直部材                      ７２  垂直部材
７３  垂直部材                      ７４  固定脚
７５  伸縮脚                        ７６  踏み桟
７７  昇降枠                        ７８  下部連結管
７８ａ  下部連結管                  ７９  開口枠
【図１】
0003955669.tif 000002
【図２】
0003955669.tif 000003
【図３】
0003955669.tif 000004
【図４】
0003955669.tif 000005
【図５】
0003955669.tif 000006
【図６】
0003955669.tif 000007
【図７】
0003955669.tif 000008
【図８】
0003955669.tif 000009
【図９】
0003955669.tif 000010
【図１０】
0003955669.tif 000011
【図１１】
0003955669.tif 000012
【図１２】
0003955669.tif 000013
【図１３】
0003955669.tif 000014
【図１４】
0003955669.tif 000015